(57)【特許請求の範囲】
【請求項１】
前面側が開口した灯具本体と、前記開口を開閉自在に閉塞するパネルと、一端側がパネルに回転自在に取着されて前記開口を開放する位置で当該パネルを仮保持する保持部材とを備え、前記保持部材の他端側が、前記パネルの仮保持状態における前記他端側の仮保持位置と、前記パネルの閉状態における前記他端側の閉塞位置との間で移動自在に摺動するガイドを前記灯具本体が有し、当該ガイドは、少なくとも前記仮保持位置近傍に前記保持部材に応力を加える応力付勢手段を備えるとともに、前記仮保持位置において前記応力を低減する応力低減手段を備えたことを特徴とする表示灯。
【請求項２】
前記応力付勢手段は、前記ガイドにおける前記保持部材との接触部位を、前記閉塞位置から前記仮保持位置に向けて前記応力の付勢方向と同一方向に傾斜させた傾斜部により構成されたことを特徴とする請求項１記載の表示灯。
【請求項３】
前記保持部材は、弾性を有する材料により形成されたことを特徴とする請求項１又は２の何れか１項に記載の表示灯。
【請求項４】
前記保持部材は、前記仮保持位置において、前記ガイドに対して着脱可能に設けられたことを特徴とする請求項１〜３の何れか１項に記載の表示灯。
【発明の詳細な説明】
【技術分野】
【０００１】
本発明は、表示灯に関するものである。
【背景技術】
【０００２】
従来より、装置本体に対してパネルを開閉自在に取着した表示装置が種々提供されている（例えば特許文献１参照）。
【０００３】
図５（ａ）（ｂ）は上記の表示装置の一例を示し、図５（ａ）に示す表示装置では、専用のステー金具１０４を用いることで所定の角度でパネル１０２を仮保持できるようになっており、また図５（ｂ）に示す表示装置では、パネル２０２の自重を利用して所定の角度でパネル２０２を仮保持できるようになっている。
【特許文献１】特開平８−７６６９４号公報（段落［００３０］−段落［００５０］、及び、第１図−第４図）
【発明の開示】
【発明が解決しようとする課題】
【０００４】
上述の図５（ａ）に示した表示装置では、専用のステー金具１０４を用いることでパネル１０２を仮保持できるものではあるが、このステー金具１０４は、図示は省略しているが、パネル１０２を所定の角度で仮保持する保持機構なども含まれているため比較的部品点数が多く、コストアップになるものであった。さらに、ステー金具１０４の両端部がそれぞれパネル１０２および装置本体１０１に固定されているため、施工時などに装置本体１０１からパネル１０２を取り外すことができるものではなかった。
【０００５】
また、図５（ｂ）に示す表示装置では、パネル２０２の自重を利用してステー２０４を所定の位置に移動させることでパネル２０２を仮保持できるものではあるが、この表示装置ではパネル２０２の開閉方向が上下方向に限定されるため、使い勝手がよくなかった。
【０００６】
本発明は上記問題点に鑑みて為されたものであり、その目的とするところは、コストアップを抑えつつ、パネルを所定の開位置で仮保持できる表示灯を提供することにある。
【課題を解決するための手段】
【０００７】
請求項１の発明は、前面側が開口した灯具本体と、開口を開閉自在に閉塞するパネルと、一端側がパネルに回転自在に取着されて開口を開放する位置で当該パネルを仮保持する保持部材とを備え、保持部材の他端側が、パネルの仮保持状態における他端側の仮保持位置と、パネルの閉状態における他端側の閉塞位置との間で移動自在に摺動するガイドを灯具本体が有し、当該ガイドは、少なくとも仮保持位置近傍に保持部材に応力を加える応力付勢手段を備えるとともに、仮保持位置において応力を低減する応力低減手段を備えたことを特徴とする。
【０００８】
請求項２の発明は、応力付勢手段は、ガイドにおける保持部材との接触部位を、閉塞位置から仮保持位置に向けて応力の付勢方向と同一方向に傾斜させた傾斜部により構成されたことを特徴とする。
【０００９】
請求項３の発明は、保持部材は、弾性を有する材料により形成されたことを特徴とする。
【００１０】
請求項４の発明は、保持部材は、仮保持位置において、ガイドに対して着脱可能に設けられたことを特徴とする。
【発明の効果】
【００１１】
請求項１の発明によれば、少なくとも仮保持位置近傍において保持部材に付勢力が加えられるが、保持部材の他端側が仮保持位置に配置された状態では応力低減手段により上記付勢力が低減されるので、パネルを所定の開状態で確実に仮保持することができ、また応力付勢手段および応力低減手段をガイドに設けることによって、保持部材は簡単な構造のものでいいので、部品点数を削減できるとともにコストアップを抑えることができ、さらに従来例のようにパネルの開閉方向が限定されないという効果がある。
【００１２】
請求項２の発明によれば、ガイドに設けた傾斜部により応力付勢手段を構成しているので、応力付勢手段を別に設けなくてもよく、さらに部品点数を削減できるとともにコストアップを抑えることができるという効果がある。
【００１３】
請求項３の発明によれば、パネルの開閉方向を水平方向とした場合、保持部材に大きな力が加わることはないから、保持部材の材料として弾性を有する薄板や樹脂を用いることができ、その結果さらに簡単な構造で保持機構を構成することができるとともにコストアップを抑えることができるという効果がある。
【００１４】
請求項４の発明によれば、保持部材をガイドに対して着脱可能に設けることによって、灯具本体からパネルを取り外すことができるので、例えばパネルが導光板などの重量物の場合には、灯具本体からパネルを取り外すことで施工時の負担を軽減することができるという効果がある。
【発明を実施するための最良の形態】
【００１５】
以下に本発明に係る表示灯の実施形態を図１〜図４に基づいて説明する。本発明に係る表示灯は、例えば天井や壁などに取り付けられ、避難誘導用の標識として用いられる。なお、以下の説明では特に断りがない限り、図１（ａ）中の矢印ａ−ｂの方向を前後方向、矢印ｃ−ｄの方向を上下方向、矢印ｅ−ｆの方向を左右方向として説明を行う。
【００１６】
本実施形態の表示灯は、図１（ａ）に示すように、前面側が開口した灯具本体１と、開口を閉塞するように灯具本体１の内部に開閉自在に収納される導光板ユニット２と、一端側が導光板ユニット２に回転自在に取着されて、上記開口を開放する位置で当該導光板ユニット２を仮保持する保持金具４とを備えている。
【００１７】
灯具本体１は、例えば合成樹脂成形品であって前面が開口した略矩形箱状の本体部１２と、金属製であって電装品（本実施形態では端子台８や点灯制御ブロック９など）が取り付けられる略矩形板状の取付台１０とで構成され、取付台１０は本体部１２の底部に適宜の取付手段により取着されている。なお、本体部１２の底部と取付台１０の間には、後述する保持金具４の先端部を移動自在に配置できるように所定の隙間が設けられている（図２（ａ）および図３（ａ）参照）。
【００１８】
本体部１２の上側の側壁部において左右方向中央寄りには、商用電源を供給するための電源線（図示せず）を上側から本体部１２の内部に導入するための電線導入孔を構成するノックアウト１２ａが設けられ、このノックアウト１２ａの左右方向両側には固定ねじ（図示せず）を挿通するためのねじ挿通孔を構成するノックアウト１２ｂ（図１（ａ）では片側のみ図示）がそれぞれ設けられている。また、本体部１２の４つの側壁部の内側面には、所定の間隔を空けて配置された２個１組のランプソケット７、７がそれぞれ取着されており、各組のランプソケット７、７にはそれぞれランプ１３が装着されるようになっている（図１（ａ）では上側壁部および左側壁部のみ図示）。なお、各組のランプソケット７、７と後述する点灯回路との間は図示しない電線によりそれぞれ電気的に接続されており、各組のランプソケット７、７には対応する電線を介して点灯回路から点灯電力が供給されるようになっている。
【００１９】
ランプ１３は、例えば図１（ａ）に示すように細長い角柱状に形成され、長手方向両端部にはランプソケット７、７にそれぞれ接続される給電部１３ａ、１３ａが設けられている。そして、各ランプ１３の両給電部１３ａ、１３ａをそれぞれ対応するランプソケット７、７に接続することで、４個のランプ１３がそれぞれ本体部１２の４辺に沿って配置される。
【００２０】
一方、取付台１０の略中央部には、上記の電源線を背面側から本体部１２の内部に導入するための電線導入孔１０ａが貫設され、この電線導入孔１０ａを間にして左右方向両側には固定ねじ（図示せず）が挿通されるねじ挿通孔１０ｂ、１０ｂがそれぞれ貫設されている。すなわち、本実施形態の表示灯は、上記のノックアウト１２ｂを用いることによって灯具本体１を天井に取り付けることができ、またねじ挿通孔１２ｂ、１２ｂを用いることによって灯具本体１を壁面に取り付けることができるのである。なお、本体部１２の底部において上記の電線導入孔１０ａおよびねじ挿通孔１０ｂ、１０ｂに対応する部位には、それぞれ電線導入用および取付用のノックアウト（図示せず）が設けられており、各ノックアウトを開けることで電源線を本体部１２の内部に導入することができ、また灯具本体１を背面でねじ固定できるようになっている。
【００２１】
また、取付台１０の前面には、端子台８や、停電時における電源供給用の蓄電池（図示せず）や、点灯回路、光源および蓄電池の状況（例えば蓄電池の充電状態など）をチェックする自己点検機能を有し、点灯回路を制御する制御回路が内蔵された点灯制御ブロック９が取着されている。ここにおいて、本体部１２の下側の側壁部には、自己点検を行うための自己点検スイッチ（図示せず）や蓄電池の交換時期などを表示する、例えばＬＥＤからなる表示部（図示せず）などを露出するための複数の露出孔１２ｃが設けられているので、外側から自己点検スイッチを押すことで自己点検を行うことができ、また蓄電池の充電状態および交換時期などを容易に確認することができる。なお、端子台８と点灯制御ブロック９との間は図示しない電線により電気的に接続されており、外部から導入された上記の電源線を端子台８に接続すると、通常時には電源線を介して供給された商用電源が点灯回路に供給されるとともに蓄電池を充電し、停電時には蓄電池が放電して点灯回路に電源が供給される。
【００２２】
さらに、取付台１０の左側には、導光板ユニット２側に設けた支持金具５、５がそれぞれ回転自在に係合する略Ｌ字状の受け金具６、６が、所定の間隔を空けて上下方向に並べて取着されており、各受け金具６の先端側には略楕円状の貫通孔６ａがそれぞれ貫設されている。
【００２３】
ここで、取付台１０の上部左寄りには、導光板ユニット２を開閉する際に保持金具４が係合するガイド部１０ｃが設けられている。このガイド部１０ｃは、図１（ｃ）に示すように左右方向に開口する横長矩形状のガイド溝１０ｄと、ガイド溝１０ｄの左右方向一端側（図１（ｃ）中の左側）において当該ガイド溝１０ｄと連通する形で下向きに開口する仮保持溝１０ｅと、仮保持溝１０ｅおよびガイド溝１０ｄと連通する形で当該仮保持溝１０ｅの上側位置に開口する解除溝１０ｆとで構成されている。また、ガイド溝１０ｄは、下側の端縁部１０ｇが水平方向に対し右側から左側に向けて上側に角度θで傾斜するように形成されている。ここに、上記の端縁部１０ｇにより応力付勢手段および傾斜部が構成され、仮保持溝１０ｅにより応力低減手段が構成されている。
【００２４】
導光板ユニット２は、図１（ａ）および図２（ａ）に示すように略矩形板状の導光板３と、導光板３の背面側に配置されランプ１３からの光を前方に反射させる反射板１１とで構成されている。導光板３は、例えば透明なアクリル樹脂成形品であって、上述した本体部１２の開口寸法よりも小さい外形寸法に形成され、組立状態では本体部１２の内部に収納されるようになっている。一方、反射板１１は、例えば金属製であって導光板３と略同じ外形寸法に形成され、導光板３の背面側に適宜の取付手段により取着されている。また、反射板１１の左側において上述した各受け金具６に対応する部位には、各受け金具６と係合する支持金具５がそれぞれ取着されており、さらに反射板１１の右端には収納状態において導光板ユニット２を灯具本体１に固定するための固定ねじ１４が取着されている。なお、各支持金具５の先端側には、対応する受け金具６の貫通孔６ａの端縁と係合する切欠部５ａが設けられており、また支持金具５の側部には保持金具４を回転自在に支持するための支持片５ｂが一体に折曲形成されている。ここに、導光板ユニット２によりパネルが構成されている。
【００２５】
この導光板ユニット２では、導光板３の４つの側端面からそれぞれ入射したランプ１３からの光が、導光板３の内部において反射板１１または導光板３の前面で複数回反射し、導光板３の前面から均一に照射されるようになっている。
【００２６】
ここで、上述した導光板ユニット２を、灯具本体１の開口を開放する位置で仮保持する保持金具４について説明する。保持金具４は、例えば弾性を有する金属製の薄板からなり、図４（ａ）（ｂ）に示すように横長の略矩形板状の保持片４ａを有し、保持片４ａの幅方向一端側（図４（ａ）中の上側）には、保持片４ａよりも寸法の長い支持片４ｂが一体に折曲形成されている。また、保持片４ａの先端側（図４（ａ）中の右側）には上述したガイド溝１０ｄの下側の端縁部１０ｇと係合する係合溝４ｃが設けられ、さらに支持片４ｂの後端側（図４（ｂ）中の左側）には軸孔４ｄが貫設されている。そして、軸孔４ｄに挿通させた軸部１４（図２（ａ）参照）を上記の支持片５ｂに軸支させると、保持金具４が導光板ユニット２に対して回転自在に支持される。ここに、保持金具４により保持部材が構成されている。
【００２７】
次に、本実施形態の表示灯の取付手順について説明する。なお、以下の説明では、表示灯を壁面に取り付ける場合について説明する。まず、本体部１２の底部に設けた電線導入用および取付用のノックアウト（図示せず）を開け、電線導入用ノックアウトおよび電線導入孔１０ａを通して背面側から電源線を本体部１２の内部に導入するとともに、取付用ノックアウトおよびねじ挿通孔１０ｂ、１０ｂに挿通させた取付ねじ（図示せず）を用いて灯具本体１を壁面にねじ固定した後、電源線の各芯線を端子台８に接続する。次に、導光板ユニット２側に設けた各支持金具５の先端部を、灯具本体１側に設けた対応する受け金具６の先端側の貫通孔６ａ内にそれぞれ挿通させた後、導光板ユニット２を灯具本体１に対して下側に移動させて、各支持金具５の先端部に設けた切欠部５ａを上記の貫通孔６ａの開口端縁にそれぞれ係合させる。なおこのとき、保持金具４の保持片４ａに設けた係合溝４ｃをガイド部１ｃの仮保持溝１０ｅに係合させる。
【００２８】
その後、保持金具４の保持片４ａの先端部を上方に持ち上げて右側にスライドさせながら支持金具５と受け金具６の係合部分を支点として導光板ユニット２を回転させ、導光板ユニット２を灯具本体１の内部に収納するとともに、固定ねじ１４を用いて導光板ユニット２を灯具本体１に固定する。なおこのとき、保持金具４の保持片４ａの先端部が、ガイド溝１０ｃの下側の端縁部１０ｇに摺動しながら右端まで移動する。そしてさらに、４個のランプ１３の両側の給電部１３ａ、１３ａを、導光板ユニット２の４辺にそれぞれ設けた２個１組の差込孔（図示せず）を通して上述した各組のランプソケット７、７に装着した後、表示パターン（例えば、人物を模したピクトグラムなど）が形成された表示板（図示せず）が取着された枠体（図示せず）を前面側から灯具本体１に填め込み、ねじ固定すると表示灯の取り付けが完了する。
【００２９】
ここで、例えばランプ交換時に点灯制御ブロック９で計測した点灯時間をリセットしたり、内蔵された蓄電池を交換する際には、灯具本体１に対して導光板ユニット２を開いた状態に保持する必要があるが、本実施形態の表示灯では、導光板ユニット２を上記の開放位置で仮保持させることで上記リセット動作や蓄電池交換が容易に行えるようになっている。以下に、導光板ユニット２を仮保持させる際の保持金具４の動作について図１〜図３に基づいて説明する。なお、以下の説明では、上述した枠体およびランプ１３は予め取り外されているものとして説明する。
【００３０】
まず、図２（ａ）（ｂ）に示す状態（すなわち、導光板ユニット２が灯具本体１の内部に収納された状態）では、保持金具４の保持片４ａの先端部はガイド溝１０ｄの右端に位置している。この状態から固定ねじ１４を緩めた後、支持金具５と受け金具６の係合部分を支点として導光板ユニット２を開方向（図３（ａ）中の右回り）に回転させると、保持片４ａの先端側の係合溝４ｃが、ガイド溝１０ｄの下側の端縁部１０ｇに摺動しながら左側に移動する（図１（ｃ）中の矢印Ａ参照）。なおこのとき、保持片４ａには、上記の端縁部１０ｇから左側に行くにつれてより大きな上向きの応力が加えられ、この応力により保持片４ａが上方に撓められる。そして、さらに導光板ユニット２を開方向に回転させると、保持片４ａがさらに上方に撓められながら先端側の係合溝４ｃが端縁部１０ｇに沿って左側に移動し、係合溝４ｃがガイド溝１０ｄの左端に到達すると、図３（ａ）（ｂ）に示すように上記応力の反力によって保持片４ａの先端部が下方に移動し（図１（ｃ）中の矢印Ｂ参照）、係合溝４ｃと仮保持溝１０ｅとが係合する。
【００３１】
なおこの状態では、保持片４ａの先端側の係合溝４ｃが仮保持溝１０ｅと係合することで保持金具４の左右方向への移動が規制され、その結果導光板ユニット２が上記の開放位置で仮保持される。ここに、ガイド溝１０ｄの右端位置が保持部材の閉塞位置となり、ガイド溝１０ｄの左端位置（すなわち、仮保持溝１０ｅの位置）が保持部材の仮保持位置となる。
【００３２】
ここにおいて、本実施形態の表示灯では、仮保持溝１０ｅの上側位置に当該仮保持溝１０ｅと連通する解除溝１０ｆが設けられており、保持金具４の先端部が仮保持溝１０ｅ内に配置された状態（すなわち、導光板ユニット２が仮保持されている状態）から導光板ユニット２を灯具本体１に対して上方に持ち上げると、保持金具４の先端部が解除溝１０ｆ側に移動し、保持金具４とガイド部１０ｃの係合状態が解除されるとともに、上述した支持金具５の切欠部５ｂと受け金具６の貫通孔６ａの端縁の係合状態が解除され、この状態から導光板ユニット２を手前（前方）に引くと、導光板ユニット２が灯具本体１から取り外される。すなわち、本実施形態の表示灯では、保持金具４をガイド部１０ｃに対して着脱可能に設けることによって、灯具本体１から導光板ユニット２を取り外すことができるので、本実施形態の導光板ユニット２のようにパネルが重量物の場合には、灯具本体１から導光板ユニット２を取り外すことで施工時の負担を軽減することができる。
【００３３】
而して、本実施形態の表示灯によれば、ガイド溝１０ｄの下側の端縁部１０ｇによって保持金具４の保持片４ａに上向きの応力が加えられるが、保持片４ａの先端側の係合溝４ｃがガイド溝１０ｄの左端（すなわち、仮保持位置）に到達すると、上記応力の反力によって保持片４ａの先端部が下方に移動し、係合溝４ｃが仮保持溝１０ｅに係合するので、保持金具４の左右方向への移動が規制され、導光板ユニット２を上記の開放位置で確実に仮保持することができる。また、ガイド部１０ｃを構成するガイド溝１０ｄの下側の端縁部１０ｇおよび仮保持溝１０ｅにより応力付勢手段および応力低減手段を構成しているので、保持金具４を簡単な構造のものにすることができるとともに、応力付勢手段を別に設けなくてもよく、部品点数を削減できるとともにコストアップを抑えることができ、さらに従来例のように導光板ユニット２の開閉方向が限定されないから使い勝手が向上する。
【００３４】
また、本実施形態のように導光板ユニット２の開閉方向を水平方向とすることで保持金具４に大きな力が加わることはないから、保持金具４の材料として弾性を有する薄板や樹脂を用いることができ、その結果さらに簡単な構造で保持機構を構成することができるとともにコストアップを抑えることができる。
【００３５】
なお、本実施形態では、ガイド溝１０ｄの下側の端縁部１０ｇをガイド溝１０ｄの全長に渡って傾斜させているが、例えば図１（ｃ）中の二点鎖線Ｃの部分のみ傾斜させるようにしてもよく、同様に導光板ユニット２を上記の開放位置で確実に仮保持することができる。
【図面の簡単な説明】
【００３６】
【図１】本実施形態の表示灯を示し、（ａ）は導光板ユニットを開けた状態の斜視図、（ｂ）は要部詳細図、（ｃ）はガイド部の詳細図である。
【図２】導光板ユニットを閉じた状態の一部破断せる同上を示し、（ａ）は上面図、（ｂ）は正面図である。
【図３】導光板ユニットを開けた状態の一部破断せる同上を示し、（ａ）は上面図、（ｂ）は正面図である。
【図４】同上に用いられる保持金具を示し、（ａ）は正面図、（ｂ）は側面図である。
【図５】（ａ）は従来例の表示灯の斜視図、（ｂ）は同上の他の表示灯の斜視図である。
【符号の説明】
【００３７】
１  灯具本体
２  導光板ユニット（パネル）
４  保持金具（保持部材）
１０ｃ  ガイド部（ガイド）
１０ｅ  仮保持溝（応力低減手段）
１０ｇ  端縁部（応力付勢手段）
【図１】
0005102699.tif 000002
【図２】
0005102699.tif 000003
【図３】
0005102699.tif 000004
【図４】
0005102699.tif 000005
【図５】
0005102699.tif 000006